(57)【要約】【課題】養生中のコンクリートの保水性及び保温性を確保する。【解決手段】コンクリート養生シート１は、保水シート１０と保温シート２０を備えている、水分不透過性の樹脂からなる保水シート１０の片面１０ａに、コンクリート９に粘着可能かつ剥離可能な粘着層１１を設ける。保水シート１０の反対面１０ｂに保温性の発泡樹脂からなる保温シート２０を積層する。【選択図】図１
2018071283.tif 000002
【特許請求の範囲】
【請求項１】
水分不透過性の保水シートと、
前記保水シートの片面に設けられ、コンクリートに粘着可能かつ剥離可能な粘着層と、
前記保水シートの反対面に積層され、前記保水シートより保温性が高い保温シートと、
を備えたことを特徴とするコンクリート養生シート。
【請求項２】
前記保温シートが、発泡樹脂にて構成されていることを特徴とする請求項１に記載のコンクリート養生シート。
【請求項３】
前記保温シートが、互いに積層された第１保温層と第２保温層とを含み、これら第１、第２保温層が、発泡倍率が互いに異なる発泡樹脂にて構成されていることを特徴とする請求項１又は２に記載のコンクリート養生シート。
【請求項４】
前記保水シートの前記片面には、前記粘着層として、又は前記粘着層上に重ねて、両面粘着テープが貼り付けられ、前記両面粘着テープにおける保水シート側とは反対側の粘着面がコンクリートに粘着可能であることを特徴とする請求項１〜３の何れか１項に記載のコンクリート養生シート。
【発明の詳細な説明】
【技術分野】
【０００１】
本発明は、コンクリートの養生に用いられる養生シートに関し、特に養生中のコンクリートの保水性及び保温性を確保するためのコンクリート養生シートに関する。
【背景技術】
【０００２】
コンクリートは、打設後の養生中、所要の水分が保持されている必要がある。乾燥すると、セメントの水和反応が進まず、品質を確保できない。そこで、養生中のコンクリートに保水性の樹脂シートを貼り付ける技術が種々提案されている（特許文献１、２等参照）。
【０００３】
特許文献１によれば、水分不透過性の樹脂シートを、接着剤を介して、養生中のコンクリートの表面に貼り付ける。樹脂シートによって、コンクリートからの水分蒸発が抑えられる。
特許文献２では、セロハンからなる基材シートの片面に水分不透過性の樹脂層を積層している。基材シートの反対側面の適宜な位置に粘着剤を設け、養生中のコンクリートに貼り付ける。
【先行技術文献】
【特許文献】
【０００４】
【特許文献１】特許第４３６０３４２号公報
【特許文献２】特開２０１４−１５２５６５号公報
【発明の概要】
【発明が解決しようとする課題】
【０００５】
前掲特許文献１、２では、養生中のコンクリートの保水性は確保できても保温性の確保は難しい。所望のコンクリート品質を得るには、保温も重要である。例えば養生期間中、気温が大きく変化すると、コンクリートの表面側と奥側との温度差が大きくなる。そうすると、コンクリートに内部応力が発生し、それがクラックの原因となることが考えられる。
本発明は、かかる事情に鑑み、養生中のコンクリートの保水性だけでなく保温性をも確保し、コンクリートの品質を高めることを目的とする。
【課題を解決するための手段】
【０００６】
前記課題を解決するため、本発明に係るコンクリート養生シートは、
水分不透過性の保水シートと、
前記保水シートの片面に設けられ、コンクリートに粘着可能かつ剥離可能な粘着層と、
前記保水シートの反対面に積層され、前記保水シートより保温性が高い保温シートと、
を備えたことを特徴とする。
【０００７】
打設後のコンクリートがある程度硬化して型枠を撤去した段階で、コンクリートの表面に前記コンクリート養生シートを貼り付ける。コンクリート養生シートに粘着層を設けることによって、コンクリートの鉛直壁や天井面にもコンクリート養生シートを貼り付けることができる。このコンクリート養生シートによって、養生中のコンクリートの保水性及び保温性を確保できる。つまり、保水シートによってコンクリートからの水分の蒸発を抑えることができる。これによって、コンクリート内を湿潤状態に保つことができ、コンクリート中のセメントの水和反応を十分に起こさせることができる。かつ、保温シートによってコンクリートからの放熱を抑えることができる。気温が大きく変化しても、コンクリートの表面側と奥側との温度差を小さく抑えることができる。これによって、コンクリートに内部応力が発生するのを防止でき、クラックが形成されるのを防止できる。この結果、コンクリートの品質を高めることができる。
【０００８】
前記保温シートは、発泡樹脂にて構成されていることが好ましい。これによって、保温性を確実に高めることができる。
前記保温シートが、互いに積層された第１保温層と第２保温層とを含むことが好ましい。これら第１、第２保温層が、発泡倍率が互いに異なる発泡樹脂にて構成されていることが好ましい。第１保温層が、第２保温層より低発泡倍率であり、かつ前記保水シートと第２保温層との間に介在されていることがより好ましい。これによって、コンクリート養生シートをロール状に巻回した状態から展開する際、巻き癖を直しやすくできる。
【０００９】
使用済のコンクリート養生シートに両面粘着テープを貼り付けてもよい。
使用済のコンクリート養生シートにおいては、粘着層が劣化、汚損、損耗、消失等している。劣化、汚損した粘着層に重ねて、両面粘着テープを貼り付ける。或いは、粘着層が損耗、消失することで、露出した保水シートの上に、新たな粘着層として両面粘着テープを貼り付ける。
要するに、前記保水シートの前記片面に、前記粘着層として、又は前記粘着層上に重ねて、両面粘着テープが貼り付けられていてもよい。前記両面粘着テープにおける保水シート側とは反対側の粘着面は、コンクリートに粘着可能である。
これによって、使用済のコンクリート養生シートのコンクリートに対する粘着性を簡単に回復させることができる。この結果、コンクリート養生シートを再利用でき、施工コストを低減できる。
【発明の効果】
【００１０】
本発明のコンクリート養生シートによれば、養生中のコンクリートの保水性及び保温性を確保でき、コンクリートの品質を高めることができる。
【図面の簡単な説明】
【００１１】
【図１】図１は、本発明の第１実施形態に係るコンクリート養生シートを、使用前の状態で示す拡大断面図である。
【図２】図２は、前記養生シートを、養生中のコンクリートに貼り付けた使用状態で示す断面図である。
【図３】図３は、本発明の第２実施形態を示し、同図（ａ）は、使用済の養生シートを両面粘着テープで再生する工程の拡大断面図である。同図（ａ）は、再生養生シートの拡大断面図である。
【図４】図４は、前記再生養生シートを、養生中のコンクリートに貼り付けた使用状態で示す断面図である。
【発明を実施するための形態】
【００１２】
以下、本発明の実施形態を図面にしたがって説明する。
図２に示すように、本形態のコンクリート養生シート１は、養生時のコンクリート９に適用される。対象となるコンクリート９の種類は特に限定がない。トンネル等の土木構造物のコンクリートであってもよく、建物等の建築構造物のコンクリートであってもよい。床コンクリートでもよく、壁又は柱コンクリートでもよく、天井コンクリートでもよい。
【００１３】
図１に拡大して示すように、コンクリート養生シート１は、保水シート１０と、保温シート２０を備えている。詳しくは、コンクリート養生シート１は、剥離シート１３、粘着層１１、保水シート１０、接着層１２、保温シート２０の第１保温層２１、及び第２保温層２２の順に積層された多層構造になっている。
【００１４】
保水シート１０は、水分不透過性樹脂にて構成されている。水分不透過性樹脂は、少なくともコンクリート９の湿潤性を保持し得る程度の水分不透過性を有している。かかる水分不透過性樹脂としては、ポリエチレン（ＰＥ）、ポリプロピレン（ＰＰ）等のポリオレフィンや、ポリエチレンテレフタレート（ＰＥＴ）が挙げられる。より好ましくは、保水シート１０は、ＰＥＴにて構成されている。
保水シート１０の厚みは、例えば数十μｍ〜数百μｍ程度であり、好ましくは２５μｍ程度である。
【００１５】
保水シート１０の片面１０ａには、粘着層１１が設けられている。好ましくは、粘着層１１は、片面１０ａの全域に設けられている。粘着層１１は、コンクリート９に対して粘着可能かつ剥離可能である。  
粘着層１１としては、例えばアクリル系粘着剤、シリコーン樹脂系粘着剤、ウレタン樹脂系粘着剤、ゴム系粘着剤等が用いられる。アクリル系粘着剤は、エマルジョン型でもよく、ホットメルト型でもよい。
未使用時のコンクリート養生シート１における粘着層１１の表面には、剥離シート１３が貼られている。
【００１６】
保水シート１０の反対面１０ｂには、接着層１２が設けられている。好ましくは、接着層１２は、反対面１０ｂの全域に設けられている。接着層１２の材質は、粘着層１１と同じ材質であってもよく、粘着層１１とは異なる材質であってもよい。
【００１７】
保水シート１０の反対面１０ｂ上に、接着層１２を挟んで、保温シート２０が重ねられている。
保温シート２０は、第１保温層２１と、第２保温層２２を含む。第１保温層２１と保水シート１０とが、接着層１２によって接着されている。第２保温層２２は、外部に面している。
【００１８】
保温シート２０（保温層２１，２２）は、発泡樹脂にて構成されている。発泡樹脂としては、発泡ポリエチレン、発泡ポリプロピレンなどの発泡ポリオレフィンの他、発泡ウレタン等が挙げられる。好ましくは、第１、第２保温層２１，２２は、架橋発泡ポリエチレン等の架橋発泡ポリオレフィンにて構成され、更に独立気泡構造になっている。
なお、保温シート２０（保温層２１，２２）用の発泡樹脂は、非架橋樹脂でもよく、連続気泡構造でもよい。
第１、第２保温層２１，２２の発泡倍率は、例えば１０〜５０倍程度であり、好ましくは３０〜５０倍程度である。
第１保温層２１と第２保温層２２の発泡倍率は互いに異なっている。好ましくは、第２保温層２２の発泡倍率が第１保温層２１の発泡倍率より高い。発泡倍率が高い程、柔軟性が高まる。好ましくは、第１保温層２１の発泡倍率は３０倍程度であり、第２保温層２２の発泡倍率は４０倍程度である。
第１保温層２１と第２保温層２２とは、熱融着にて接合されている。なお、第１保温層２１と第２保温層２２とが接着剤を介して接合されていてもよい。
【００１９】
発泡樹脂製の保温シート２０（保温層２１，２２）は、非発泡樹脂製の保水シート１０より保温性が高い。すなわち、保水シート１０より熱伝導率ないしは熱伝達率が高く、熱を逃がしにくい。第１、第２保温層２１，２２の熱伝達率は、好ましくは０．５〜８Ｗ／ｍ２・℃程度である。
一方、水分不透過性については、保水シート１０のほうが、保温シート２０（保温層２１，２２）より高い。
各保温シート２１，２２の厚みは、例えば数ｍｍ〜十数ｍｍであり、好ましくは５ｍｍ程度である。保温シート２０全体の厚みは、好ましくは１０ｍｍ程度である。
【００２０】
コンクリート養生シート１は、次のようにして使用される。
養生シート１は、高発泡倍率の第２保温層２２が内側を向くようにしてロール状に巻回された状態で流通、搬送される。コンクリート９の施工現場で養生シート１を展開する。第２保温層２２を内側にして巻回しておくことで、養生シート１の展開時、巻き癖を直し易くすることができる。
【００２１】
打設後のコンクリート９がある程度硬化したら型枠（図示省略）を撤去する。
そして、図２に示すように、コンクリート９の表面に養生シート１を貼り付ける。詳しくは、剥離シート１３を剥がし、粘着層１１をコンクリート９の表面に粘着させる。粘着層１１を設けておくことによって、コンクリート９の鉛直壁や天井面にも養生シート１を貼り付けることができる。
【００２２】
養生シート１の貼り付け期間は、型枠の撤去及び養生シート１の貼り付けから例えば数週間〜数ヶ月であり、好ましくは１ヶ月から３ヶ月程度である。
これによって、コンクリート９の養生中、コンクリート９の保水性及び保温性を確保できる。つまり、保水シート１０によってコンクリート９からの水分の蒸発を抑えることができる。したがって、コンクリート９内を湿潤状態に保つことができ、コンクリート９中のセメントの水和反応を十分に起こさせることができる。
かつ、保温シート２０によってコンクリート９からの放熱を抑えることができる。気温が大きく変化しても、コンクリート９の表面側と奥側との温度差を小さく抑えることができる。これによって、コンクリート９に内部応力が発生するのを防止でき、クラックが形成されるのを防止できる。
この結果、コンクリート９の品質を高めることができる。
養生期間が過ぎたら養生シート１をコンクリート９から剥がして撤去する。
【００２３】
次に、本発明の他の実施形態を説明する。以下の実施形態において既述の形態と重複する構成に関しては、図面に同一符号を付して説明を省略する。
＜第２実施形態＞
図３及び図４は、本発明の第２実施形態を示したものである。
図３に示すように、本形態では、一度使用したコンクリート養生シート１’を、両面粘着テープ３０を付加することで再生している。両面粘着テープ３０は、テープ基材３１と、その両側の粘着層３２，３３を備えている。
なお、貼り付け対象に貼り付ける前の各粘着層３２，３３には剥離シートが設けられているが、その図示は省略する。
【００２４】
図３（ａ）に示すように、使用済のコンクリート養生シート１’においては、粘着層１１’が劣化、汚損、損耗、消失等している。
図３（ｂ）に示すように、劣化、汚損した粘着層１１’に重ねて、両面粘着テープ３０を貼り付ける。或いは、粘着層１１’が損耗、消失することで、露出した保水シート１０の片面１０ａ上に両面粘着テープ３０を貼り付ける。すなわち、片側の粘着層３２を、劣化、汚損した粘着層１１又は露出した保水シート１０に接着する。これによって、使用済のコンクリート養生シート１’と両面粘着テープ３０とからなる再生養生シート１Ｂが出来る。
【００２５】
図４に示すように、両面粘着テープ３０における保水シート１０側とは反対側の粘着層３３（粘着面）は、コンクリート９に粘着可能である。つまり、再生養生シート１Ｂにおいては、両面粘着テープ３０の粘着層３３が、粘着層１１に代わって、コンクリート９との新たな粘着層となる。
このように、第２実施形態によれば、使用済養生シート１’のコンクリート９に対する粘着性を簡単に回復させて再利用できる。したがって、使用の度に新品の養生シート１を用意する必要がなく、施工コストを低減できる。
【００２６】
粘着層３３は、コンクリート９から剥離可能である。これによって、養生終了後、コンクリート９から再生養生シート１Ｂを剥がして撤去できる。
更に好ましくは、粘着層３２が、劣化した粘着層１１又は保水シート１０から剥離可能である。これによって、使用済の劣化した両面粘着テープ３０を剥がして、新品の両面粘着テープ３０に貼り替えることができる。この結果、養生シート１’を何度も使い回すことができ、施工コストを一層低減できる。
【００２７】
本発明は、前記実施形態に限定されるものではなく、その趣旨を逸脱しない範囲において種々の改変をなすことができる。
例えば、保水シート１０と保温シート２０との接合手段は、接着層１２に限られず、熱融着でもよく、保温シート２０の発泡成形時の自己接着力であってもよい。
保温シート２０が、単層構造であってもよく、３層以上の多層構造であってもよい。保温シート２０の材質は、発泡樹脂に限られず、不織布等であってもよい。
【産業上の利用可能性】
【００２８】
本発明は、例えばトンネルや建物等の各種コンクリートの養生施工に適用できる。
【符号の説明】
【００２９】
１          コンクリート養生シート
１’        使用済養生シート
１Ｂ        再生養生シート
９          コンクリート
１０        保水シート
１０ａ      片面
１０ｂ      反対面
１１        粘着層
１２        接着層
１３        剥離シート
２０        保温シート
２１        第１保温層
２２        第２保温層
３０        両面粘着テープ
３１        テープ基材
３２        シート側粘着層
３３        コンクリート側粘着層（粘着面）
【図１】
2018071283.tif 000003
【図２】
2018071283.tif 000004
【図３】
2018071283.tif 000005
【図４】
2018071283.tif 000006